(57)【要約】【課題】装置が複数の無線ネットワークを横切って無線サービスを移行できる方法及び装置を提供する。【解決手段】複数のｅＳＩＭを記憶しそしてそれらの間を切り換えできるようにし、各ｅＳＩＭは、異なるキャリアネットワークに対して特有のものである。適当なｅＳＩＭをロードすることにより、ユーザ装置は、ローミングではなく、選択されたキャリアでそれ自体認証することができる。ローミング動作中に、ユーザ装置は、以前に記憶されたｅＳＩＭをロードすることができる。ｅＳＩＭの選択は、ユーザにより手動で行うこともできるし、又は望ましい状況、例えば、キャリア信号強度、費用効果等に基づいてユーザ装置により駆動することもできる。複数の無線技術をサポートすることで、以前に互換性のない技術、例えばＧＳＭ(グローバルスタンダードフォアモバイルコミュニケーションズ)、ＣＤＭＡ等にわたって、ワイヤレス装置を普遍的に接続することができる。【選択図】図３
2014017878.tif 000002
【特許請求の範囲】
【請求項１】
１つ以上のワイヤレスネットワークに接続するようにされた１つ以上のワイヤレスインターフェイスと、
対応するネットワークに各々関連した複数のユーザアクセスデータエレメントを記憶するようにされたセキュアなエレメントと、
プロセッサと、
前記プロセッサとデータ通信する記憶装置であって、前記プロセッサにより実行されたときに、
利用可能なネットワークを選択し、
前記選択されたネットワークに関連した第１のユーザアクセスデータエレメントを前記セキュアなエレメントから検索し、
前記検索されたユーザアクセスデータエレメントをロードし、
前記ロードされたユーザアクセスデータエレメントで前記選択されたネットワークに対して認証する、
ように構成されたコンピュータ実行可能なインストラクションを含む当該記憶装置と、
を備えたワイヤレス装置。
【請求項２】
前記複数のユーザアクセスデータエレメントは、１つ以上の電子的サブスクライバーアイデンティティモジュール（ｅＳＩＭ）を含み、前記セキュアなエレメントは、電子的ユニバーサル集積回路カード（ｅＵＩＣＣ）を含み、そして１つ以上のｅＳＩＭの各々は、インターナショナルモバイルサブスクライバーアイデンティファイア（ＩＭＳＩ）に関連付けられ、
前記１つ以上のワイヤレスネットワークは、セルラーネットワークを含み、
前記コンピュータ実行可能なインストラクションは、前記プロセッサにより実行されたときに、更に、
前記セルラーネットワークに対する認証を要求し、
前記検索されたｅＳＩＭに少なくとも一部分基づいて認証及びキー合意（ＡＫＡ）を実行する、
ように構成された、請求項１に記載のワイヤレス装置。
【請求項３】
前記１つ以上のワイヤレスネットワークは、グローバルスタンダードフォアモバイルコミュニケーションズ（ＧＳＭ）ネットワークを含む、請求項２に記載のワイヤレス装置。
【請求項４】
前記１つ以上のワイヤレスネットワークは、ユニバーサルモバイルテレコミュニケーションズシステム（ＵＭＴＳ）ネットワークを含む、請求項２に記載のワイヤレス装置。
【請求項５】
前記１つ以上のワイヤレスネットワークは、コード分割多重アクセス２０００（ＣＤＭＡ２０００）ネットワークを含む、請求項２に記載のワイヤレス装置。
【請求項６】
前記記憶装置は、前記プロセッサにより実行されたときに、１つ以上のワイヤレスインターフェイスの少なくとも１つを経て利用可能なネットワークを検出するように構成されたコンピュータ実行可能なインストラクションを更に含む、請求項１に記載のワイヤレス装置。
【請求項７】
利用可能なネットワークの選択はユーザ入力又はユーザの好みによってトリガーされる、請求項１に記載のワイヤレス装置。
【請求項８】
利用可能なネットワークの選択は１つ以上の状況入力によって自動的にトリガーされる、請求項１に記載のワイヤレス装置。
【請求項９】
前記１つ以上の状況入力は地理的入力を含む、請求項８に記載のワイヤレス装置。
【請求項１０】
前記１つ以上の状況入力は時間入力を含む、請求項８に記載のワイヤレス装置。
【請求項１１】
前記１つ以上の状況入力は受信した信号クオリティ入力を含む、請求項８に記載のワイヤレス装置。
【請求項１２】
２つ以上のネットワークを横切ってワイヤレスアクセスを移行する方法において、
ローミング状態を検出する段階と、
１つ以上のネットワークに各々関連した１つ以上のアクセス制御クライアントを評価する段階と、
利用可能なアクセス制御クライアントを選択する段階と、
前記選択されたアクセス制御クライアントをセキュアなエレメントから検索する段階と、
前記選択されたアクセス制御クライアントを実行する段階であって、前記選択されたアクセス制御クライアントに関連したネットワークに対して認証することを含む当該実行する段階と、を含む方法。
【請求項１３】
１つ以上の利用可能なネットワークを検出する段階を更に備えた、請求項１２に記載の方法。
【請求項１４】
利用可能なアクセス制御クライアントを選択する前記段階はユーザ入力に基づいている、請求項１２に記載の方法。
【請求項１５】
利用可能なアクセス制御クライアントを選択する前記段階は１つ以上の基準に基づいている、請求項１２に記載の方法。
【請求項１６】
前記１つ以上の基準の少なくとも１つは動作のコストを含む、請求項１５に記載の方法。
【請求項１７】
前記１つ以上の基準の少なくとも１つは受信した信号クオリティを含む、請求項１５に記載の方法。
【請求項１８】
前記１つ以上の基準の少なくとも１つは地理的状況を含む、請求項１５に記載の方法。
【請求項１９】
前記１つ以上の基準の少なくとも１つは時間状況を含む、請求項１５に記載の方法。
【請求項２０】
前記１つ以上のアクセス制御クライアントは、同時にアクティブとなる２つ以上のアクセス制御クライアントを含む、請求項１２に記載の方法。
【請求項２１】
第１のワイヤレスネットワークと、ワイヤレスユーザ装置とを備えるワイヤレスシステムであって、
前記ワイヤレスユーザ装置は、
(a)前記第１のワイヤレスネットワークを含む１つ以上のワイヤレスネットワークに接続するようにされた１つ以上のワイヤレスインターフェイス、
(b)対応するネットワークに各々関連した複数のユーザアクセスデータエレメントを記憶するようにされたセキュアなエレメント、
(c)プロセッサ、及び
(d)前記プロセッサとデータ通信する記憶装置であって、前記プロセッサにより実行されたときに、
(i)前記第１のネットワークを選択し、
(ii)前記第１のワイヤレスネットワークに関連した第１のユーザアクセスデータエレメントを前記セキュアなエレメントから検索し、
(iii)前記検索されたユーザアクセスデータエレメントをロードし、
(iv)前記ロードされたユーザアクセスデータエレメントで前記第１のワイヤレスネットワークに対して認証する、
ように構成されたコンピュータ実行可能なインストラクションを含む当該記憶装置と、
を備えたことを特徴とする前記ワイヤレスシステム。
【発明の詳細な説明】
【技術分野】
【０００１】
本発明は、一般に、セルラーネットワークのようなワイヤレスシステムの分野に係り、より詳細には、装置が複数のワイヤレスネットワークを横切ってワイヤレスサービスを移行できるようにするシステムに係る。
【０００２】
優先権及び関連出願：本出願は、２０１１年５月１７日に出願された“METHOD AND APPARATUS FOR ACCESS CONTROL CLIENT ASSISTED ROAMING”と題する米国特許出願第１３／１０９，８５１号の優先権を主張するもので、該特許出願は、２０１０年１０月２８日に出願された“METHOD AND APPARATUS FOR ACCESS CONTROL CLIENT ASSISTED ROAMING”と題する米国仮特許出願第６１／４０７，８５８号の優先権を主張するものであり、各特許出願は、引用としてここにそのまま組み入れる。
【０００３】
また、本出願は、２００９年１月１３日に出願された“POSTPONED CARRIER CONFIGURATION”と題する共有で同時係属の米国特許出願第１２／３５３，２２７号、２０１０年１１月２２日に出願された“WIRELESS NETWORK AUTHENTICATION APPARATUS AND METHOD”と題する第１２／９５２，０８２号、２０１０年１１月２２日に出願された“APPARATUS AND METHODS FOR PROVISIONING SUBSCRIBER IDENTITY DATA IN A WIRELESS NETWORK”と題する第１２／９５２，０８９号、２０１０年１２月２８日に出願された“VIRTUAL SUBSCRIBER IDENTITY MODULE DISTRIBUTION SYSTEM”と題する第１２／９８０，２３２号、２０１１年４月１日に出願された“ACCESS DATA PROVISIONING SERVICE”と題する第１３／０７８，８１１号、２０１１年４月４日に出願された“MANAGEMENT SYSTEMS FOR MULTIPLE ACCESS CONTROL ENTITIES”と題する第１３／０７９，６１９号、２０１１年４月５日に出願された“METHOD AND APPARATUS FOR STORAGE AND EXECUTION OF ACCESS CONTROL CLIENTS”と題する第１３／０８０，５２１号、２０１１年４月５日に出願された“SIMULACRUM OF PHYSICAL SECURITY DEVICE AND METHODS”と題する第１３／０８０，５３３号、２０１１年４月５日に出願された“APPARATUS AND METHOD FOR CONTROLLING DISTRIBUTION OF ELECTRONIC SUBSCRIBER IDENTITY MODULES”と題する第１３／０８０，５５８号、２０１１年４月２５日に出願された“APPARATUS AND METHOD FOR STORING ELECTRONIC SUBSCRIBER IDENTITY MODULES”と題する第１３／０９３，７２２号、２０１１年４月２７日に出願された“SYSTEM FOR DISTRIBUTION OF UNIQUE SUBSCRIBER IDENTITY MODULES”と題する第１３／０９５，７１６号、並びに２０１０年１０月２８日に出願された“METHODS AND APPARATUS FOR DELIVERING ELECTRONIC IDENTIFICATION COMPONENTS OVER A WIRELESS NETWORK”と題する米国仮特許出願第６１／４０７，８６２号、２０１０年１１月３日に出願された“METHODS AND APPARATUS FOR ACCESS DATA RECOVERY FROM A MALFUNCTIONING DEVICE”と題する第６１／４０９，８９１号、２０１０年１１月１２日に出願された“APPARATUS AND METHOD FOR RECORDATION OF DEVICE HISTRY ACROSS MULTIPLE SOFTWARE EMULATION”と題する第６１／４１３，３１７号、２０１１年４月２６日に出願された“ELECTRONIC ACCESS CLIENT DISTRIBUTION APPARATUS AND METHODS”と題する第６１／４７９，３１９号、２０１１年４月２９日に出願された“COMPACT FORM FACTOR INTEGRATED CIRCUIT CARD”と題する第６１／４８１，１１４号、２０１１年５月６日に出願された“METHODS AND APPARATUS FOR PROVIDING MANAGEMENT CAPABILITIES FOR ACCESS CONTROL CLIENTS”と題する第６１／４８３，５８２号にも関連しており、その各々は、引用としてここにそのまま組み入れる。
【背景技術】
【０００４】
多くのワイヤレスシステム又はネットワークは、サービスにアクセスするためにユーザ識別及び認証を必要とする。例えば、典型的なユニバーサルモバイルテレコミュニケーションズシステム（ＵＭＴＳ）の環境内では、物理的カードフォームファクタユニバーサル集積回路カード（ＵＩＣＣ）内で物理的に組み込まれるサブスクライバーアイデンティティモジュール（ＳＩＭ）と称されるアクセス制御クライアントによりセルラーホンのアクセス制御が支配される。動作中に、ＳＩＭカードは、セルラーネットワークに対して加入者を認証する。首尾良く認証された後に、加入者は、セルラーネットワークへアクセスすることが許される。
【０００５】
ＳＩＭカードが製造されるとき、ＳＩＭカードは、そのＳＩＭカードの使用を特定キャリアに制限するキャリア特有の認証情報でプログラムされる。更に、各ＳＩＭカードには単一のユーザアカウントが関連され、ユーザアカウントデータは、ＳＩＭカードに永久的に記憶される。ユーザがサービスを既存のアカウントから新たなアカウントへ又は既存のキャリアから新たなキャリアへ切り換えたい場合には、ユーザは、新たなＳＩＭカードを必要とする。手短に述べると、ユーザアカウント及びキャリアネットワークは、ＳＩＭカードに結合されており、移動装置それ自体には結合されていない。移動装置は、この点に関して若干代替え可能な商品である。
【発明の概要】
【発明が解決しようとする課題】
【０００６】
不都合なことに、加入者は、新たなサービスエリアへ移動するときには、多くの場合、高い「ローミング」料金を支払うか又は新たなＳＩＭカードを購入するか選択しなければならない。ローミングサービスとは、移動装置が登録されたホーム位置とは異なる位置における移動装置の接続を指す。登録された加入者サービスと比較すると、ローミングサービスは、信号のクオリティが低く及び／又は余計な関連費用がかかることがある。しかしながら、極端な場合に、加入者は、ローミング能力を有していないこともあり、従って、移動装置は、訪問先ネットワークに登録するために全く新しいＳＩＭカードを購入するか又は接続を完全にあきらめるしかない。
【０００７】
従って、装置がホーム位置以外のところにある間にカバレージを得（例えば、購入し）そして管理する能力をユーザに与えるための改善された解決策が要望される。このような改善された解決策は、新たなＳＩＭカードを必要とせずに、既に配備又は購入された装置へ新たな又は異なるユーザアカウントを引き渡すのをサポートするのが理想的である。
【課題を解決するための手段】
【０００８】
本発明は、とりわけ、ユーザ装置に使用するためのアクセスクライアントを選択して利用するための装置及び方法を開示することにより前記要望に対処する。
【０００９】
本発明の第１の態様において、ワイヤレス装置が開示される。一実施形態において、この装置は、１つ以上のワイヤレスネットワークに接続するようにされた１つ以上のワイヤレスインターフェイスと、対応するネットワークに各々関連した複数のユーザアクセスデータエレメントを記憶するようにされたセキュアなエレメントと、プロセッサと、このプロセッサとデータ通信し、コンピュータ実行可能なインストラクションを含む記憶装置と、を備えている。そのインストラクションは、１つの変形例において、プロセッサにより実行されたときに、利用可能なネットワークを選択し、その選択されたネットワークに関連した第１のユーザアクセスデータエレメントをセキュアなエレメントから検索し、その検索されたユーザアクセスデータをロードし、そしてそのロードされたユーザアクセスデータでその選択されたネットワークに対して認証するように構成される。
【００１０】
本発明の第２の態様において、複数のネットワークを横切ってワイヤレスアクセスを移行するための方法が開示される。一実施形態において、この方法は、ローミング状態を検出し、１つ以上のネットワークに各々関連した１つ以上のアクセス制御クライアントを評価し、利用可能なアクセス制御クライアントを選択し、その選択されたアクセス制御クライアントをロードし、そしてその選択されたアクセス制御クライアントを実行することを含む。
【００１１】
１つの変形例において、この方法は、実質的にユーザ装置により遂行される。別の変形例において、この方法は、実質的にネットワークエンティティにより遂行される。更に別の変形例において、この方法の種々のタスクは、ユーザ装置及び１つ以上のネットワークエンティティにより分担される。
【００１２】
本発明の第３の態様において、ネットワーク装置が開示される。１つの実施形態では、この装置は、アクセスクライアント（例えば、ｅＳＩＭ）の切り換えを要求する状態、例えば、ローミング状態又は信号クオリティ／強度のロスを検出させ、そしてあるネットワーク又はキャリアから別のネットワーク又はキャリアへのその後の切り換え又はハンドオーバーを呼び出すように構成される。
【００１３】
本発明の第４の態様において、システムが開示される。１つの実施形態では、このシステムは、ワイヤレスネットワークと、そのネットワーク内の支配的状態（例えば、ネットワークからのユーザローミング、信号クオリティ又は強度、等）に基づいて異なるアクセスクライアントを選択的に選んでアクチベートすることのできるユーザ装置と、を備えている。
【００１４】
第５の態様において、コンピュータ読み取り可能な装置が開示される。１つの実施形態では、この装置は、少なくとも１つのコンピュータプログラムが配置された記憶媒体を備えている。少なくとも１つのプログラムは、実行時に、ローミング又は他のトリガー状態を検出し、アクセスのための少なくとも１つの第２のネットワークを選択し、その選択されたネットワークへのアクセスを呼び出し、そして使用中の現在ネットワークへのアクセスを終了させるように構成される。
【００１５】
本発明の第６の態様において、ベースステーション装置が開示される。１つの実施形態において、このベースステーション装置は、少なくとも第１のワイヤレスネットワークをサポートし、そしてその第１ネットワーク以外のワイヤレスネットワークをサポートする異なるベースステーション装置へのワイヤレス装置転送を容易にするように構成される。１つの変形例では、このベースステーション装置は、１つ以上のワイヤレスインターフェイスと、プロセッサと、このプロセッサとデータ通信する記憶装置とを備え、この記憶装置は、プロセッサにより実行されたときに、ワイヤレス装置から動作情報を受信し、ワイヤレス装置により使用するために異なるベースステーション装置があるかどうかを、動作情報に少なくとも一部分基づいて決定し、そしてワイヤレス装置を異なるベースステーションに接続させるコマンドをワイヤレス装置へ送信するように構成されたコンピュータ実行可能なインストラクションを含む。
【００１６】
本発明のこれら及び他の態様は、ここでの開示に鑑み考慮したときに明らかとなるであろう。
【図面の簡単な説明】
【００１７】
【図１】従来のＵＳＩＭを使用する１つの典型的な認証及びキー合意（ＡＫＡ）手順をグラフィック的に示す。
【図２】本発明の種々の実施形態に関連して有用な１つの典型的なセルラーシステムを示す論理フロー図である。
【図３】本発明の一実施形態により第１のキャリアのネットワークから第２のキャリアのネットワークへセルラー装置を移行するための典型的なトランザクションをグラフィック的に示す。
【図４】本発明によりセルラー装置サービスを移行するための一般化された方法の一実施形態を示す論理フローチャートである。
【図５】本発明の方法を具現化するのに有用な典型的ユーザ装置のブロック図である。
【図６】本発明の方法を具現化するのに有用な典型的ネットワーク装置のブロック図である。（全図著作権２０１０アップル社、全ての権利を保有）
【発明を実施するための形態】
【００１８】
全体を通して同じ部分が同じ番号で示された添付図面を参照して説明する。
【００１９】
概略
１つの態様において、本発明は、「ホーム」位置の外部でのローミングカバレージのサポートを与えることにより異なるキャリアへのユーザ装置アクセスを許す方法及び装置に向けられる。本発明の実施形態は、移動装置に記憶された複数のアクセスクライアント（例えば、エレクトロニックサブスクライバーアイデンティティモジュール又はｅＳＩＭ）間を切り換えるものであり、各ｅＳＩＭは、キャリアネットワークで移動装置を認証するように構成されたＳＩＭを含む。より詳細には、１つの典型的な実施形態では、移動装置がローミング状態を検出し、それに応答して（又は先を見越して）その利用可能なｅＳＩＭを評価する。少なくとも１つのｅＳＩＭが現在ネットワークとの非ローミング動作に適している場合には、ｅＳＩＭがロードされ、移動装置は、その新たなホームネットワークに登録する。
【００２０】
より一般的には、本発明は、既存のローミングアクセスを使用するのではなく、現在ネットワークに一致するようにその現在アクセス制御クライアントを切り換えできるワイヤレス装置に係る。例えば、第１ネットワークに関連したｅＳＩＭをアクティブに保持して、第２ネットワークにおいてローミングする（従って、ある場合には、余計なローミング料金を発生する）のではなく、移動装置は、第１ネットワークに関連したｅＳＩＭをデアクチベートし、そして同時に又は先を見越して第２ネットワークに関連したｅＳＩＭをロードする。この「ハンドオフ」は、典型的な実施形態では、シームレスに遂行され、ユーザの経験に影響が及ばないようにする（即ち、「オンザフライ処理」）。
【００２１】
本発明の種々の態様は、サービスのクオリティ及び効率の両方、並びにサービスカバレージを実質的に改善する。複数のアクセス制御クライアント間を柔軟に切り換えることにより、ユーザは、単一の装置で異なるネットワークサービスプロバイダーに対して複数のサービス契約を維持することができる。このような特徴は、ユーザに価値を付加する。というのは、（例えば、外国旅行の場合に）外国のネットワークサービスエリアのサービスプロバイダーでユーザアクセスデータを購入することにより国内のサービスエリアからローミングできるからである。更に、ユーザアクセスデータフォーマットは、特定の物理的カード（例えば、ＵＩＣＣ、Ｒ−ＵＩＭカード、等）に限定されないので、複数のワイヤレスインターフェイス（例えば、ＧＳＭ（登録商標）、ＣＤＭＡ等）でイネーブルされるユーザ装置は、ユーザが変化する信号強度で異なるＲＡＮ間を切り換えできるようにすることでサービスカバレージを向上させることができる。
【００２２】
典型的な実施形態の詳細な説明
本発明の典型的な実施形態を以下に詳細に説明する。これら実施形態は、主として、ＧＳＭ、ＧＰＲＳ／ＥＤＧＥ、ＵＭＴＳセルラーネットワークのサブスクライバーアイデンティティモジュール（ＳＩＭ）に関して説明するが、当業者であれば、本発明がこれらに限定されないことが明らかであろう。実際に、本発明の種々の態様は、アクセス制御クライアント支援ローミングから利益が得られる無線ネットワーク（セルラーであってもなくても）において有用である。
【００２３】
また、「サブスクライバーアイデンティティモジュール（ＳＩＭ）」はここでは、ｅＳＩＭと称するが、これは、必ずしも、（ｉ）加入者それ自体による使用（即ち、本発明は、加入者又は非加入者により実施される）、（ii）１人の個人のアイデンティティ（即ち、本発明は、家族のような個人のグループ、若しくは企業のような無形又は架空のエンティティのために実施される）、又は（iii）任意の有形の「モジュール」装置又はハードウェアを意味せず又は要求もしないことが理解されるであろう。
【００２４】
従来のサブスクライバーアイデンティティモジュール（ＳＩＭ）動作
典型的な従来のＵＭＴＳセルラーネットワークの状況において、ユーザ装置（ＵＥ）は、携帯装置及びユニバーサルサブスクライバーアイデンティティモジュール（ＵＳＩＭ）を備えている。このＵＳＩＭは、記憶され且つ物理的ユニバーサル集積回路カード（ＵＩＣＣ）から実行される論理的ソフトウェアエンティティである。加入者情報、無線ネットワークサービスを得るためにネットワークオペレータとの認証に使用されるキー及びアルゴリズムのような種々の情報がこのＵＳＩＭに記憶される。
【００２５】
一般的に、ＵＩＣＣは、加入者への配布の前にＵＳＩＭでプログラムされ、再プログラミング又は「パーソナル化」は、各ネットワークオペレータ特有のものである。例えば、配備の前に、ＵＳＩＭは、インターナショナルモバイルサブスクライバーアイデンティファイア（ＩＭＳＩ）、固有の集積回路カード識別子（ＩＣＣ−ＩＤ）、及び特定の認証キー（Ｋ）に関連付けられる。ネットワークオペレータは、その関連性を、ネットワーク認証センター（ＡｕＣ）内に収容されたレジストリーに記憶する。パーソナル化の後に、ＵＩＣＣは、加入者へ配布することができる。
【００２６】
図１には、上述した従来のＵＳＩＭを使用する１つの典型的な認証及びキー合意（ＡＫＡ）手順１００が詳細に示されている。通常の認証手順の間に、ＵＥ１０２は、ＵＳＩＭ１０４からインターナショナルモバイルサブスクライバーアイデンティファイア（ＩＭＳＩ）を取得する。ＵＥは、それを、ネットワークオペレータのサービングネットワーク（ＳＮ）１０６又は訪問先コアネットワークへ渡す。ＳＮは、認証要求をホームネットワーク（ＨＮ）のＡｕＣ１０８へ転送する。ＨＮは、受信したＩＭＳＩをＡｕＣのレジストリーと比較し、そして適当なＫを得る。ＨＮは、ランダム番号（ＲＡＮＤ）を発生し、そしてそれに、予想される応答（ＸＲＥＳ）を生成するためのアルゴリズムを使用してＫでサインする。ＨＮは、更に、暗号化及び完全性保護に使用するための暗号キー（ＣＫ）及び完全性キー（ＩＫ）、並びに認証トークン（ＡＵＴＮ）を、種々のアルゴリズムを使用して発生する。ＨＮは、ＲＡＮＤ、ＸＲＥＳ、ＣＫ及びＡＵＴＮより成る認証ベクトルをＳＮへ送信する。ＳＮは、認証ベクトルを一回の認証プロセスのみに使用するために記憶する。ＳＮは、ＲＡＮＤ及びＡＵＴＮをＵＥへ渡す。
【００２７】
ＵＥ１０２がＲＡＮＤ及びＡＵＴＮを受け取ると、ＵＳＩＭ１０４は、受け取ったＡＵＴＮが有効であるかどうか検証する。もしそうであれば、ＵＥは、受け取ったＲＡＮＤを使用し、記憶されたＫ、及びＸＲＥＳを発生した同じアルゴリズムを使用して、それ自身の応答（ＲＥＳ）を計算する。ＵＥは、ＲＥＳをＳＮへ返送する。ＳＮ１０６は、ＸＲＥＳを受け取ったＲＥＳと比較し、それらが一致する場合に、ＳＮは、オペレータのワイヤレスネットワークサービスの利用についてＵＥを認証する。
【００２８】
典型的な動作
本発明の典型的な実施形態の状況では、従来のように物理的なＵＩＣＣを使用するのではなく、ＵＩＣＣは、例えば、ＵＥのセキュアなエレメント（例えば、セキュアなマイクロプロセッサ又は記憶装置）内に収容されるソフトウェアアプリケーション、以下、電子ユニバーサル集積回路カード（ｅＵＩＣＣ）と称される、のような仮想又は電子的エンティティとしてエミュレートされる。ｅＵＩＣＣは、以下、電子的サブスクライバーアイデンティティモジュール（ｅＳＩＭ）と称される複数のＵＳＩＭエレメントを記憶し管理することができる。各ｅＳＩＭは、典型的なＵＳＩＭと同じ論理的エンティティを収容する。ｅＵＩＣＣは、ｅＳＩＭのＩＣＣ−ＩＤに基づいてｅＳＩＭを選択する。ｅＵＩＣＣが望ましいｅＳＩＭを選択すると、ＵＥは、認証手順を開始して、ｅＳＩＭの対応するネットワークオペレータからワイヤレスネットワークサービスを得ることができる。
【００２９】
図２には、本発明の種々の実施形態を説明するのに有用な１つの典型的なセルラーシステム２００が示されている。この典型的なシステムは、３つのパブリックランドモバイルネットワーク（ＰＬＭＮ）又は「ネットワークキャリア」、即ちＵＭＴＳキャリアＡ  ２０２Ａ、ＵＭＴＳキャリアＢ  ２０２Ｂ、及びＣＤＭＡ２０００キャリアＣ  ２０２Ｃを備えている。２つのＵＭＴＳ及び１つのＣＤＭＡキャリアが示されているが、本発明と矛盾しないように、他の形式及び数のエアインターフェイス（セルラー、その他）を使用できることも認識される。更に、本発明では、例えば、進行中のサービス或いはコール又はセッションをＷＬＡＮからセルラー又はＷｉＭＡＸネットワーク等へ転送するような異種のネットワークタイプも含まれることが意図される。
【００３０】
図２において、セルラー装置２０４は、ＵＭＴＳキャリアＡネットワークに接続されるが、他の２つのネットワークのカバレージ内にある。この例では、セルラー装置は、ＵＭＴＳキャリアＡネットワークに永久的に登録され、従って、ＵＭＴＳキャリアＡネットワークは、セルラー装置の「ホームネットワーク」である。セルラー装置がＵＭＴＳキャリアＢネットワークからサービスを受ける場合には、その第２のネットワークは、セルラー装置がキャリアＢに永久的に登録されないので、「訪問先ネットワーク」である。ＣＤＭＡ２０００キャリアＣネットワークは、ローミングアクセスに対してサポートされても、されなくてもよく、即ち、異なる技術（例えば、ＵＭＴＳ、ＣＤＭＡ２０００）間のローミングは、具現化特有のもので、例えば、二重モード電話の使用によるものである。
【００３１】
従って、本発明の１つの典型的な実施形態では、移動装置２０４は、ローミングではなく、現在ｅＳＩＭパーソナリティを変化させる。より詳細には、移動装置は、複数のｅＳＩＭパーソナリティをセキュアなｅＵＩＣＣ内に記憶している（又はオンザフライで得ている）。第１ネットワークに関連したｅＳＩＭをアクティブに保持して第２ネットワークをローミングするのではなく、移動装置は、第１ネットワーク２０２Ａに関連したそのｅＳＩＭをデアクチベートし、そして第２ネットワーク２０２Ｃ（この場合はキャリアＣ）に関連したｅＳＩＭをロードする。その後、移動装置は、新たなホームネットワークとして第２ネットワークに接続する。上述したように、これは、典型的な実施形態において、ユーザに対してできるだけシームレスに遷移するように、多数の異なるシーケンスで行われる。従って、本発明は、以前のホームキャリアに対するｅＳＩＭがデアクチベート又は破壊される前にサービスが「新たな」ホームキャリアで少なくとも部分的に開始される「メーク・ビフォア・ブレーク(make before break)」パラダイムを含む種々のモデルを意図している。別のモデルでは、「ブレーク・ビフォア・メーク」ロジックが使用される。
【００３２】
図３には、複数のセルラーネットワークを横切ってサービスを受けるための１つの典型的な方法が示されている。ステップ３０２において、ユーザ装置（ＵＥ）は、利用可能なｅＳＩＭの目録を識別する。ここで使用する「利用可能な(available)」という語は、現在利用可能な又は条件に応じて利用可能な（例えば、将来の時間に、別のベースステーションの範囲内に入るような事象の発生時に、等々）アクセスクライアント又はｅＳＩＭを含むが、これに限定されない。ステップ３０４において、ＵＥは、利用可能なｅＳＩＭに対応するネットワークに対してスキャンする。例えば、典型的なセルラーシステム２００では、ＵＥ２０４は、３つのネットワークキャリア、即ち（ｉ）ＵＭＴＳキャリアＡ  ２０２Ａ、ＵＭＴＳキャリアＢ  ２０２Ｂ、及びＣＤＭＡ２０００キャリアＣ  ２０２Ｃを識別するが、ＵＥは、キャリアＡ及びキャリアＣに対してｅＳＩＭデータしか有していない。
【００３３】
ステップ３０６では、ＵＥは、利用可能なネットワークの１つを選択する。例えば、ＵＥは、グラフィックユーザインターフェイス（ＧＵＩ）を経てユーザにネットワークオプションのリストを提示し、ユーザは、望ましいネットワークを選択する。この例では、ユーザは、その既存のキャリア（キャリアＡ）からキャリアＣへの切り換えを選択する。或いは又、例えば、（ｉ）コストの事柄、（ii）装置／互換性の事柄、及び／又は（iii）ユーザの好みを含む１つ以上の選択ルールに基づき適当なキャリアを選択する選択ロジックがユーザ装置（又はネットワーク内のリモートエンティティ）内で使用されてもよい。
【００３４】
ステップ３０８において、ＵＥは、選択されたキャリアに対するｅＳＩＭをセキュアなエレメントから検索してロードする。例えば、ＵＥは、ＵＭＴＳキャリアＢに対してＵＳＩＭをエミュレートするｅＳＩＭをデアクチベートし、そして例えば、同時に又は先を見越して、ＣＤＭＡ２０００キャリアＣに対応するｅＳＩＭをロードする。
【００３５】
ステップ３１０（上述したように、同時に又は先を見越して遂行される）において、ＵＥは、選択されたネットワークを認証する。ＵＥは、ＣＤＭＡ２０００モデムを始動し、キャリアＣに登録する。
【００３６】
上述した例は、本発明の幾つかの顕著な効果を示している。第１に、物理的なＳＩＭカードとは異なり、本発明の移動装置は、ｅＵＩＣＣ内に複数のｅＳＩＭを記憶する。従って、本発明の種々の態様は、装置接続カバレージを著しく改善することができる。各ｅＳＩＭは、典型的な実施形態では、異なるネットワークキャリアに関連しているので、加入者は、複数のホームネットワークを有する。加入者は、そのホームネットワークのいずれにおいても登録されたユーザとして動作することができる（例えば、ローミング料金、等を負うことなく）。更に、上述した典型的な実施形態は、異なる無線アクセスネットワーク及びそれに関連したｅＳＩＭタイプをサポートすることができる。
【００３７】
第２に、本発明の移動装置は、物理的なＳＩＭカードをもたないので、カードフォームファクタに関連したオーバーヘッド（例えば、２つ又は３つ又は４つの個別のＳＩＭカードスロット）を要求することなく複数の無線アクセス技術をサポートすることができる。この移動装置は、カードソケットを必要とせず、ユーザは、複数のカードを個人で携帯する必要はない。更に、ｅＳＩＭの交換は、ＧＵＩによって支援されるか、又は移動装置の内部で自動的に遂行されるので、本発明の種々の実施形態は、ユーザのエラーを防止する上で助けとなる。例えば、ユーザは、偶発的にＳＩＭカードを家に忘れたり、誤ったＳＩＭカードを差し込んだり、又はＳＩＭカードを誤って差し込んだり、等々がない。
【００３８】
本発明の１つ以上の態様を具現化するための一般化された方法及び装置の典型的な実施形態を以下に説明する。
【００３９】
方法
図４を参照して、装置が複数のワイヤレスネットワークを横切ってワイヤレスサービスを移行するための一般化された方法の一実施形態を図示して説明する。
【００４０】
ここで使用する「アクセス制御クライアント」という語は、一般的に、ハードウェア又はソフトウェアで実施されて、ワイヤレスネットワーク及び通信ネットワークのリソースへのアクセスを可能にするソフトウェアクライアントを指す。１つの典型的な実施形態では、アクセス制御クライアントは、ｅＵＩＣＣで実行されるｅＳＩＭである。１つの変形例において、ｅＳＩＭは、ユニバーサルサブスクライバーアイデンティティモジュール（ＵＳＩＭ）、ＩＰマルチメディアサービスアイデンティティモジュール（ＩＳＩＭ）、ＣＤＭＡサブスクライバーアイデンティティモジュール（ＣＳＩＭ）のうちの少なくとも１つで動作するように構成される。
【００４１】
ステップ４０２において、他のアクセス制御クライアントオプションが評価される。１つの典型的な実施形態では、アクセス制御クライアントを評価するプロセスは、ワイヤレス装置により自動的にトリガーされる。例えば、ＵＥが複数のワイヤレス無線技術インターフェイス（例えば、ＧＳＭ、ＣＤＭＡ）を具現化する場合に、ユーザは、その現在アクティブな無線において信号強度の低下（又は全く信号なし）を経験することがある。それに応答して、ワイヤレス装置は、ローミングを回避するためにその利用可能なアクセス制御クライアントをチェックする。
【００４２】
別の実施形態では、アクセス制御クライアントを更新するプロセスは、ユーザによって手動でトリガーされる。例えば、ユーザは、ユーザがサービス契約を維持する異なるネットワークプロバイダー間に変化する音声及びデータ計画レートを有することができる。ユーザは、望ましいワイヤレスネットワークサービス（例えば、音声及びデータ）に対して最も費用効果のあるレートを得るために異なるネットワークプロバイダーへの接続を手動で選択することを希望してもよい。或いは又、ユーザは、異なる個人的状況において異なるサービスプロバイダーの使用を希望してもよく、例えば、個人的な使用で１つ、そして仕事の使用で１つのサービスプロバイダーの使用を希望してもよい。
【００４３】
別の実施形態では、アクセス制御クライアントを更新するためのトリガーは、利用可能なネットワークの状況特有の使用（例えば、費用効果、信号強度）により駆動されてもよい。例えば、ユーザは、複数のキャリアに対するｅＳＩＭデータをＵＥに有してもよく、各ｅＳＩＭは、それら自身の使用レートを伴う。あるキャリアは、ＵＥが夕方に費用効果の良い対応ネットワークを選択するよう促す夕方レートを提供するのが良い。
【００４４】
１つの具現化において、アクセス制御クライアントを更新するトリガーは、時間及び／又は地理的位置の制約により駆動される。例えば、ユーザは、個人的アカウント及び仕事用アカウントに対するｅＳＩＭデータを有する。ワイヤレス装置は、その装置が通常の仕事時間中にユーザの職場に配置されることを決定し、それ故、仕事用アカウントに対するｅＳＩＭデータに関連したネットワークを選択する。或いは又、装置が仕事の時間でなく及び／又は職場（例えば、主たる住居）にないと決定した場合に、装置は、個人的アカウントに対するｅＳＩＭデータに関連したネットワークを選択する。
【００４５】
更に、種々の入力（例えば、時間及び／又は地理的状況）を予報的に入力することもできる。例えば、第１のキャリアについては経歴的に非常に悪い受信状態を示すが第２のキャリアについてはそうでないエリアを通してのユーザ駆動は、アクセス制御クライアントに対する更新を自動的にトリガーすることができる。ある実施形態では、経歴的分析は、装置自身の経歴に基づく（例えば、以前の動作に基づく）ものでもよいし、又は「クラウドソース化」されてもよく、即ち多数の他の装置から収集された経歴に基づくものでもよい（使用中の装置と同様のタイプ／能力であるか、異なるか、又はそれらの異種混合であるかに関わらず）。あるケースでは、この情報は、ユーザにより（例えば、アプリケーションソフトウェア又は更新を経て）装置へダウンロードされるか、又はネットワークにより（自動的又はその他で）装置に与えられてもよい。
【００４６】
更に、ネットワークキャリアは、次第に効率が低下するネットワークリソースで装置をサポートし及び／又はユーザの経験に悪影響するのではなく、装置が「良好な」キャリアへ予見的に切り換えることを好む。例えば、キャリアＡは、名うての弱いカバレージエリアではキャリアＢへシームレスにハンドオーバーすることを望む。というのは、キャリアＡに悪く反映するスポット的なサービス中断よりもこのシームレスなハンドオーバー（たとえ別のキャリアでも）及びサービスの持続性が好ましいからである。あるケースでは、ユーザは、ハンドオーバーに気付かないこともあり、従って、これは、その時点でサービスを提供しなくてもキャリアＡに積極的に反映することになる。
【００４７】
任意のステップ４０３では、ワイヤレス装置は、利用可能なアクセス制御クライアントのリストをコンパイルする。１つの実施形態では、このリストは、現在記憶されたアクセス制御クライアントに基づく。１つの変形例において、このリストは、更に、外部で記憶されたアクセス制御クライアントを含む。例えば、先に取り上げた２０１０年１０月２８日に出願された“MANAGEMENT SYSTEMS FOR MULTIPLE ACCESS CONTROL ENTITIES”と題する米国プロビジョナル特許出願第６１／４０７，８６１号に述べられたように、アクセス制御クライアントは、外部「ウオレット(wallet)」に記憶されるか、又はネットワークエンティティ内に「パークされる(parked)」。
【００４８】
他の実施形態では、このリストは、まだ指定されておらず指定のために空いているアクセス制御クライアントを含む。例えば、１つの変形例では、このリストは、販売及びダウンロードのために広告されるアクセス制御クライアントを含む。
【００４９】
図示されたように、ステップ４０４に関して、ワイヤレス装置は、利用可能なアクセス制御クライアントを選択する。１つの典型的な実施形態では、利用可能なアクセス制御クライアントの選択は、ユーザにより手動で行われる。例えば、ワイヤレス装置は、ＧＵＩを通して利用可能なアクセス制御クライアントのリストをユーザに提示する。
【００５０】
別の実施形態では、アクセス制御クライアントの選択は、ユーザエリアの利用可能なネットワークをスキャンするワイヤレス装置によって自動的に行うことができる。１つの変形例では、アクセス制御クライアントの選択は、ワイヤレス装置（例えば、デフォールトネットワーク）の構成可能な設定によって決定される。例えば、複数の利用可能なネットワークオプションを有する移動装置は、最良の信号クオリティ、最高の帯域巾、最低の費用請求率、等、或いは複数のそれらのものの組み合わせ／最適化を与えるネットワークを選択することができる。
【００５１】
別の典型的な実施形態では、ワイヤレス装置は、複数の無線アクセス技術インターフェイス（例えば、ＣＤＭＡ２０００、ＧＳＭ）を具現化して、その装置が各利用可能なインターフェイスのためのネットワークを選択できるようにする。１つの具現化において、あるワイヤレスインターフェイスは、音声サービスのためにネットワークを選択し、一方、他のワイヤレスインターフェイスは、データサービスのためのネットワークを選択する。又、性能（例えば、帯域巾）又はＱｏＳ或いはセキュリティを選択の基礎として使用してもよい（即ち、セキュアなトラフィックに対して１つのネットワーク、非セキュアなトラフィックに対して別のネットワーク）。
【００５２】
適当なアクセス制御クライアントが選択されると、ワイヤレス装置は、その選択されたネットワークに関連したアクセス制御クライアントデータを検索する。本発明の１つの典型的な実施形態において、ユーザアクセスデータ（例えば、アクセス制御クライアント、それに関連した他のコンポーネント、等）は、ワイヤレス装置のセキュアなエレメントから検索される。例えば、セキュアなエレメントからのユーザアクセスデータのこのような検索を具現化する典型的な装置及び方法を記載した、先に取り上げた、２０１０年１０月２８日に出願された“METHODS AND APPARATUS FOR STORAGE AND EXECUTION OF ACCESS CONTROL CLIENTS”と題する共有で同時係属の米国仮特許出願第６１／４０７，８６６号を参照されたい。
【００５３】
別の実施形態では、その選択されたネットワークに関連したユーザアクセスデータがワイヤレス装置へダウンロードされる。例えば、ユーザアクセスデータのこのようなワイヤレスダウンロードを具現化するための典型的な方法を記載した、先に取り上げた、２０１０年１０月２８日に出願された“METHODS AND APPARATUS FOR DELIVERING ELECTRONIC IDENTIFICATION COMPONENTS OVER A WIRELESS NETWORK”と題する共有で同時係属の米国仮特許出願第６１／４０７，８６２号を参照されたい。
【００５４】
その後、アクセス制御クライアントは、ワイヤレス装置へロードされる。１つの典型的な実施形態において、検索されたユーザアクセスデータ（即ち、アクセス制御クライアント及びそれに関連した他のコンポーネント、等）は、ワイヤレス装置ソフトウェアへロードされる。１つの具現化において、ワイヤレス装置ソフトウェアは、希望のネットワークに接続することが要求されるワイヤレスインターフェイスが別の認証されたセッションに現在使用されているかどうか決定する。
【００５５】
ワイヤレスインターフェイスが別の認証されたネットワークセッションに使用されていない場合には、ワイヤレス装置は、ステップ４０６で述べたように、アクセス制御を開始する。ワイヤレスインターフェイスが使用中である場合には、１つの実施形態において、ワイヤレスインターフェイスは、希望のネットワークへ接続できるようにワイヤレス装置ソフトウェアによりリセットされる。ワイヤレスインターフェイスのリセットの後に、ワイヤレス装置は、ステップ４０６で述べたように、アクセス制御を開始する。他の実施形態では、新たなホームネットワーク及び以前の訪問先ネットワークへの同時接続をサポートするために第２のワイヤレスインターフェイスが既存のワイヤレス接続と並列に開始される。
【００５６】
本発明のある具現化において、ワイヤレス装置は、１つ以上のワイヤレスインターフェイスを収容する。１つの変形例では、２つ以上のワイヤレスインターフェイスが同時にアクティブとなって、ユーザアクセスデータを同時にロードできるようにする。例えば、ＵＥの再スタート時に、ＣＤＭＡ２０００ワイヤレスインターフェイス及びＧＳＭワイヤレスインターフェイスのユーザアクセスデータが同時にロードされる。別の変形例では、ＵＥは、あるワイヤレスインターフェイスから別のワイヤレスインターフェイスへ切り換える。
【００５７】
ステップ４０６において、ワイヤレス装置は、アクセス制御手順を開始する。首尾良く行われた場合には、ワイヤレス装置は、選択されたネットワークからワイヤレスネットワークサービスを得ることができる。１つの実施形態では、アクセス制御手順は、ネットワークに対してワイヤレス装置を及びワイヤレス装置に対してネットワークを相互に認証するための挑戦・応答プロトコルである。そのような１つの実施形態では、アクセス制御手順は、認証及びキー合意（ＡＫＡ）手順を含む（図１及びそれに関連した説明を参照）。他の実施形態では、アクセス制御手順は、一方向性の認証を含み、例えば、セルラー装置又はセルラーネットワークのみが認証される。このような実施形態は、例えば、セルラー認証及び音声暗号（ＣＡＶＥ）ベースのアルゴリズムを含むが、他のアルゴリズムを同じ成功度で使用することもできる。
【００５８】
本発明の種々の態様は、サービスのクオリティ及び効率の両方、並びにサービスカバレージを実質的に改善する。複数のユーザアクセスデータを記憶できるようにすることで、ユーザは、単一のＵＥにおいて異なるネットワークサービスプロバイダーに対する複数のサービス契約を維持することができる。このような特徴は、ユーザに価値を付加する。というのは、特に、（例えば、外国旅行の場合に）外国のネットワークサービスエリアのサービスプロバイダーでユーザアクセスデータを購入することにより国内のサービスエリアからローミングできるからである。更に、ユーザアクセスデータフォーマットは、特定の物理的カード（例えば、ＵＩＣＣ、Ｒ−ＵＩＭカード、等）に限定されないので、複数のワイヤレスインターフェイス（例えば、ＧＳＭ、ＣＤＭＡ、等）でイネーブルされるＵＥは、ユーザが変化する信号強度で異なるＲＡＮ間を切り換えできるようにすることでサービスカバレージを向上させることができる。
【００５９】
１つの実施形態において、本発明は、アプリケーションベースのストア（例えば、オンラインストア）又はブローカーを通してワイヤレスネットワークのサービスプロバイダーに対してアクセス制御クライアントをユーザが購入して受け取れるようにすることに関連した収入又は利益の含蓄を考慮するものである。例えば、ユーザは、必須のユーザアクセスデータで新たな物理的カードを取得する必要なくワイヤレスサービスを得るという高い融通性をもつ。更に、アプリケーションベースのストアを通してのユーザアクセスデータのプロバイダーは、（例えば、短期間の外国旅行の場合）一時的なユーザアクセスデータに対して割増金を課すことができるが、これは、ユーザが国内のサービスプロバイダーでローミング料金又は国際サービスレートにおいて支払わねばならないものよりまだ安い。
【００６０】
典型的な移動装置
図５には、本発明の方法を具現化するのに有用な典型的なユーザ又はクライアント移動装置５００が示されている。
【００６１】
図５の典型的ＵＥ装置は、デジタル信号プロセッサ、マイクロプロセッサ、フィールドプログラマブルゲートアレイ、又は１つ以上の基板にマウントされた複数の処理コンポーネントのようなプロセッササブシステム５０２を伴うワイヤレス装置である。この処理サブシステムは、内部キャッシュメモリも含む。又、処理サブシステムは、例えば、ＳＲＡＭ、フラッシュ及びＳＤＲＡＭコンポーネントを含むメモリを備えたメモリサブシステム５０４に接続される。このメモリサブシステムは、この技術でよく知られたように、データアクセスを容易にするために１つ以上のＤＭＡタイプのハードウェアを具現化することができる。又、メモリサブシステムは、プロセッササブシステムにより実行できるコンピュータ実行可能なインストラクションを含む。
【００６２】
１つの典型的な実施形態において、装置は、１つ以上のワイヤレスネットワークに接続するようにされた１つ以上のワイヤレスインターフェイス（５０６）で構成される。これら複数のワイヤレスインターフェイスは、適当なアンテナ及びモデムサブシステムを具現化することにより、ＧＳＭ、ＣＤＭＡ、ＵＭＴＳ、ＬＴＥ／ＬＴＥ−Ａ、ＷｉＭＡＸ、ＷＬＡＮ、ブルーツース、等の異なる無線技術をサポートすることができる。
【００６３】
ユーザインターフェイスサブシステム５０８は、これに限定されないが、キーパッド、タッチスクリーン（例えば、マルチタッチインターフェイス）、ＬＣＤディスプレイ、バックライト、スピーカ及び／又はマイクロホンを含む多数の良く知られたＩ／Ｏを含む。しかしながら、あるアプリケーションでは、これらコンポーネントの１つ以上が除去されてもよいことが明らかである。例えば、ＰＣＭＣＩＡカードタイプクライアントの実施形態では、ユーザインターフェイスが欠けてもよい（それらが物理的及び／又は電気的に結合されるホスト装置のユーザインターフェイスに便乗させることができるので）。
【００６４】
ここに示す実施形態では、ｅＵＩＣＣアプリケーションを含んでいてそれを動作するセキュアなエレメント５１０を装置が備えている。このｅＵＩＣＣは、ネットワークオペレータとの認証に使用される複数のアクセス制御クライアントを記憶しそしてそれにアクセスすることができる。セキュアなエレメントは、プロセッササブシステムの要求時にメモリサブシステムによりアクセスすることができる。１つの典型的な実施形態では、セキュアなエレメントは、少なくとも区画可能なメモリを備え、この区画可能なメモリは、１つ以上のアクセス制御クライアント及びそれに関連したパッチを含むようにされる。
【００６５】
また、セキュアなエレメントは、セキュリティ技術で良く知られたタイプのいわゆる「セキュアなプロセッサ」又はＳＭを含むこともできる。更に、一実施形態では、セキュアなエレメントは、記憶されたアクセス制御クライアントのリスト又は目録を維持する。この目録は、記憶されたアクセス制御クライアントの現在状態に関する情報を含むことができる。このような情報は、利用性、完全さ、有効性、以前に経験したエラー、等を含む。この目録は、必要に応じて、ユーザインターフェイスに更にリンク又は結合され、利用可能なアクセス制御クライアントをユーザが選択できるようにする。
【００６６】
更に、典型的な実施形態の種々の実現は、実行時に、ローミング状態を検出し、それに応答して、他のアクセス制御クライアントオプションを評価するインストラクションを含む。少なくとも１つの変形例では、前記のローミング検出は、自動的である。このような検出は、地理／時間を経て（例えば、ＧＰＳ受信器、既知の位置又は装置（例えば、ベースステーション又はＷＬＡＮ  ＡＰ）との関連性、「外国」ネットワーク通信（例えば、ＷＩＭＡＸ  ＭＯＢ＿ＡＤＶメッセージのような広告メッセージ）の受信、等を経て）行うことができる。
【００６７】
別の変形例では、ローミング状態の検出は、ユーザにより手動でトリガーされる。更に別の実施形態では、装置は、ローミング検出を行わずにアクセス制御クライアントを評価するためにトリガーすることができ、例えば、ユーザ入力、状況特有動作（例えば、ユーザにより「仕事」又は「個人的」又は「国際的」と分類された番号をコールする）、等によりトリガーすることができる。
【００６８】
典型的な実施形態の更に別の実施形態は、アクセス制御クライアントを選択しロードするためのインストラクションを含む。例えば、ローミング状態が検出されると、ユーザ装置は、装置ソフトウェアへロードするためにユーザアクセスデータ（例えば、アクセス制御クライアント、それに関連した他のコンポーネント、等）を検索する。
【００６９】
１つの具現化において、ワイヤレス装置は、現在接続をデアクチベートし、そして新たなホームネットワークへの新たな接続を再確立する。別の具現化では、ワイヤレス装置は、現在接続（ローミングであってもよい）を持続し、且つ新たな接続を確立する。例えば、本発明のある具現化において、ワイヤレス装置は、１つ以上のワイヤレスインターフェイスを含むことができる。１つのそのような変形例では、２つ以上のワイヤレスインターフェイスが同時にアクチベートされて、ユーザアクセスデータを同時にロードできるようにする。例えば、ＵＥの再スタート時に、ＣＤＭＡ２０００ワイヤレスインターフェイス及びＧＳＭワイヤレスインターフェイスのためのユーザアクセスデータを同時にロードすることができる。
【００７０】
ユーザ装置５００の以上の実施形態は、主として移動電話（例えば、スマートホン）について説明したが、本発明は、電話装置に限定されないことが明らかであろう。例えば、前記の技術は、例えば、“４Ｇ”ＷｉＭＡＸのようなデータネットワーク、或いはハンドヘルド又はラップコンピュータのようなＷＬＡＮイネーブル装置に直接適用することができる。
【００７１】
典型的なネットワーク装置
図６には、本発明の方法を具現化するのに有用な典型的なネットワーク装置６００が示されている。
【００７２】
図６の典型的なネットワーク装置は、サーバー６００であり、これは、一般的に、通信ネットワークとインターフェイスするためのネットワークインターフェイス６０２と、プロセッサ６０４と、記憶装置６０６と、バックエンドインターフェイス６０８とを備えている。このバックエンドインターフェイス６０８は、ＵＥ５００と直接通信するためのインターフェイスであるか、又はインターネットへのインターフェイスであって、ＵＥ５００との通信を容易にするためのものである。更に、バックエンドインターフェイス６０８は、セルラーネットワークシステムと通信するためのインターフェイスである。他のインターフェイスを使用してもよく、以上のことは単なる例示に過ぎない。
【００７３】
本発明の方法及び装置の以上の実施形態は、実質的にユーザ装置（例えば、ＵＥ）を中心とするものであるが、これら機能の幾つか又は全部をネットワークインフラストラクチャーにオフロードできることが明らかであろう。例えば、「ローミング」の検出に基づいて自動的にトリガーする上述した実施形態では、ユーザのアカウント、装置プロフィール、及び現在の／利用可能なアクセスクライアントを知っているサーバーのようなネットワークエンティティにより検出を行うことができる（又はそのネットワークエンティティに検出をシグナリングすることができる）。又、ネットワークエンティティは、信頼のあるアクセスクライアント（例えば、ｅＳＩＭ）プロバイダー又はブローカーと通信して、ローミングの検出又は他の基準に基づいて新たなｅＳＩＭのダウンロード（又はユーザ装置に既に存在するもののアクチベーション）を生じさせることができる。例えば、ユーザがサービスプロバイダーのネットワークの縁においてセルへハンドオフするか又はセルに関連付けするのを検出すると、エンティティは、第１のネットワークのカバレージを越えて延びる別のネットワークの新たなｅＳＩＭのダウンロード及び／又はアクチベーションを生じさせることができる。この形態で、ユーザ装置は、「より薄く」することができ、ｅＳＩＭ切り換え判断を行うための固有のロジック又はファシリティを必要としない。
【００７４】
ネットワークエンティティは、サービスプロバイダーに関連付けられてもよいし（例えば、「古いホーム」又は「新しいホーム」ネットワークの一部分として）、或いは提携又は非提携の第三者サービス（例えば、特定のサービスプロバイダーと提携せずにクライアントに対するｅＳＩＭプロビジョニング／マネージメントをサービスとして提供するインターネットサービス）に関連付けられてもよい。又、ネットワークエンティティは、購入者にサービスを提供するようにユーザ装置（例えば、スマートホン）製造者により動作されてもよい。このため、ユーザは、そのようなネットワークエンティティとの通信及びローミング時のｅＳＩＭの効率的な選択を容易にする“ａｐｐ”（アプリケーション）を、自分の装置で使用するためにダウンロードすることもできる。
【００７５】
また、本発明は、サービスプロバイダーとｅＳＩＭ切り換えの呼び出しとの間の種々のビジネス関係も意図している。例えば、キャリアＸがその現在「ホーム」ユーザの１つを、キャリアＹに関連したｅＳＩＭへ切り換えることを決定したときに、キャリアＸは、この事象をキャリアＹへ報告し、そして既存の関係により、切り換えを生じさせるための支払又は他のタイプの事柄を得る（おそらくキャリアＺへの切り換えを生じさせるのとは対照的に）。１つのそのようなモデルにおいて、キャリアＸ及びＹは、単位時間当たり（例えば、毎月）他のキャリアにより生じるそれらネットワークへの切り換えの数に対する無形の「クレジット」と、どちらのキャリアがより多くの切り換えを生じたかに基づき適宜になされる支払とを互いに与える。当業者であれば、本開示が与えられると、種々の他のモデルが認識されよう。
【００７６】
本発明の幾つかの態様を、方法ステップの特定のシーケンスに関して説明したが、これらの説明は、本発明の広い方法を例示するものに過ぎず、特定の用途により要求されるように変更できることが認識されよう。あるステップは、ある状況のもとでは、不要とされるか又は任意とされる。更に、ここに開示する実施形態にあるステップ又は機能を追加してもよいし、又は２つ以上のステップの実行順序を入れ替えてもよい。このような全ての変更は、ここに開示する本発明に包含されると考えられる。
【００７７】
以上、種々の実施形態に適用された本発明の新規な特徴が図示され、説明され及び指摘されたが、当業者であれば、本発明から逸脱せずに、装置又はプロセスの形態及び細部に種々の省略、置き換え及び変更がなされ得ることが理解されよう。以上の説明は、本発明を実施するよう現在意図される最良の態様である。この説明は、何ら限定を意図しておらず、本発明の一般的な原理の例示と考えるべきである。本発明の範囲は、特許請求の範囲によって限定される。
【符号の説明】
【００７８】
１００：認証及びキー合意（ＡＫＡ）手順
１０２：ＵＥ
１０４：ＵＳＩＭ
１０６：サービングネットワーク（ＳＮ）
２００：セルラーシステム
２０２Ａ：ＵＭＴＳキャリアＡ
２０２Ｂ：ＵＭＴＳキャリアＢ
２０２Ｃ：ＣＤＭＡ２０００キャリアＣ
５００：移動装置
５０２：プロセッサ
５０４：記憶装置
５０６：モデム
５０８：キーパッド／ユーザインターフェイス
５１０：セキュアなエレメント
６００：サーバー
６０２：ネットワークインターフェイス
６０４：プロセッサ
６０６：記憶装置
６０８：バックエンドインターフェイス
【図１】
2014017878.tif 000003
【図２】
2014017878.tif 000004
【図３】
2014017878.tif 000005
【図４】
2014017878.tif 000006
【図５】
2014017878.tif 000007
【図６】
2014017878.tif 000008
【手続補正書】
【提出日】平成25年10月21日(2013.10.21)
【手続補正１】
【補正対象書類名】特許請求の範囲
【補正対象項目名】全文
【補正方法】変更
【補正の内容】
【特許請求の範囲】
【請求項１】
１つ以上のワイヤレスインターフェイスであって、前記１つ以上のワイヤレスインターフェイスのそれぞれが複数のワイヤレスネットワークに接続とされている当該ワイヤレスインターフェイスと、
複数のユーザアクセスデータエレメントを記憶するようにされたセキュアなエレメントであって、前記各ユーザアクセスデータエレメントが前記複数のワイヤレスネットワークの少なくとも１つに関連している当該セキュアなエレメントと、
プロセッサと、
前記プロセッサとデータ通信する記憶装置であって、前記プロセッサにより実行されたときに、
状況入力に応答して、前記ワイヤレスネットワークの利用可能な一つを自動的に選択し、
前記選択された利用可能なネットワークに関連するが前記セキュアなエレメントに記憶されていない第１のユーザアクセスデータエレメントを、信頼できるプロバイダーから受信し、
前記第１のユーザアクセスデータエレメントを前記セキュアなエレメントの中に記憶し、
前記選択された利用可能なネットワークに対して前記第１のユーザアクセスデータエレメントにより認証する、
ように構成されたコンピュータ実行可能なインストラクションを記憶した当該記憶装置と、
を備えたワイヤレス装置。
【請求項２】
前記複数のユーザアクセスデータエレメントうちの各ユーザアクセスデータエレメント及び前記第１のユーザアクセスデータエレメントは、電子的サブスクライバーアイデンティティモジュール（ｅＳＩＭ）を含み、前記セキュアなエレメントは、電子的ユニバーサル集積回路カード（ｅＵＩＣＣ）を含み、そして各ｅＳＩＭは、インターナショナルモバイルサブスクライバーアイデンティファイア（ＩＭＳＩ）に関連付けられ、
前記ワイヤレスネットワークの各々は、セルラーネットワークを含み、
前記コンピュータ実行可能なインストラクションは、前記プロセッサにより実行されたときに、更に、
前記セルラーネットワークに対する認証を要求し、
前記第１のユーザアクセスデータエレメントに少なくとも一部分基づいて前記セルラーネットワークとともに認証及びキー合意（ＡＫＡ）を実行する、
ように構成された、請求項１に記載のワイヤレス装置。
【請求項３】
前記ワイヤレスネットワークの一つは、グローバルスタンダードフォアモバイルコミュニケーションズ（ＧＳＭ）ネットワークを含む、請求項２に記載のワイヤレス装置。
【請求項４】
前記ワイヤレスネットワークの一つは、ユニバーサルモバイルテレコミュニケーションズシステム（ＵＭＴＳ）ネットワークを含む、請求項２に記載のワイヤレス装置。
【請求項５】
前記ワイヤレスネットワークの一つは、コード分割多重アクセス２０００（ＣＤＭＡ２０００）ネットワークを含む、請求項２に記載のワイヤレス装置。
【請求項６】
前記記憶装置は、前記プロセッサにより実行されたときに、１つ以上のワイヤレスインターフェイスの少なくとも１つを介して前記ワイヤレスネットワークの利用可能な一つを検出するように構成されたコンピュータ実行可能なインストラクションを更に記憶する、請求項１に記載のワイヤレス装置。
【請求項７】
前記利用可能なワイヤレスネットワークの選択はユーザ入力又はユーザの好みによってトリガーされる、請求項１に記載のワイヤレス装置。
【請求項８】
前記状況入力は地理的入力を含む、請求項１に記載のワイヤレス装置。
【請求項９】
前記状況入力は時間入力を含む、請求項１に記載のワイヤレス装置。
【請求項１０】
前記状況入力は受信した信号クオリティ入力を含む、請求項１に記載のワイヤレス装置。
【請求項１１】
異なるワイヤレスネットワークを上でのアクセスを移行する方法において、
状況入力に基づき前記ワイヤレスネットワークのうち利用可能な一つを選択する段階と、
選択された前記利用可能なワイヤレスネットワークへのアクセスを提供するアクセス制御クライアントを識別するため、セキュアなエレメントに記憶されたアクセス制御クライアントを評価する段階と、
前記アクセス制御クライアントが前記セキュアなエレメントに記憶されていないことを判断する段階と、
信頼できるプロバイダーから前記アクセス制御クライアントを受信する段階と、
前記アクセス制御クライアントを前記セキュアなエレメントの中に記憶する段階と、
前記アクセス制御クライアントを実行して前記選択された利用可能なワイヤレスネットワークに対する認証を行う段階と、を含む方法。
【請求項１２】
１つ以上の利用可能なワイヤレスネットワークを検出する段階を更に備えた、請求項１１に記載の方法。
【請求項１３】
前記状況入力はオペレーションのコストを含む、請求項１１に記載の方法。
【請求項１４】
前記状況入力は受信した信号クオリティを含む、請求項１１に記載の方法。
【請求項１５】
前記状況入力は地理的状況を含む、請求項１１に記載の方法。
【請求項１６】
前記状況入力は時間状況を含む、請求項１１に記載の方法。
【請求項１７】
前記アクセス制御クライアントは、前記セキュアなエレメントに記憶された少なくとも１つの他のアクセス制御クライアントにより同時に実行される、請求項１１に記載の方法。
【請求項１８】
第１のワイヤレスネットワークと、ワイヤレスユーザ装置とを備えるワイヤレスシステムであって、
前記ワイヤレスユーザ装置は、
(a)各ワイヤレスインターフェイスが、前記第１のワイヤレスネットワークを含む複数のワイヤレスネットワークに接続するようにされた１つ以上のワイヤレスインターフェイス、
(b)複数のユーザアクセスデータエレメントを記憶するようにされたセキュアなエレメントであって、前記各ユーザアクセスデータエレメントが前記複数のワイヤレスネットワークの少なくとも１つに関連している当該セキュアなエレメントと、
(c)プロセッサ、及び
(d)前記プロセッサとデータ通信する記憶装置であって、前記プロセッサにより実行されたときに、
(i)状況入力に応答して、前記第１のネットワークを自動的に選択し、
(ii)複数のアクセスデータエレメントのうちどのユーザアクセスデータエレメントも前記第１のワイヤレスネットワークに関連しないことを判断し、
(iii)前記第１のワイヤレスネットワークに関連した第１のユーザアクセスデータエレメントを信頼できるプロバイダーから受信し、
(iv)前記第１のユーザアクセスデータエレメントを前記セキュアなエレメントの中に記憶し、
(v)前記第１のユーザアクセスデータエレメントにより前記第１のワイヤレスネットワークに対する認証を行う、
ように構成されたコンピュータ実行可能なインストラクションを記憶した当該記憶装置と、
を備えたことを特徴とする前記ワイヤレスシステム。